【事件の表示】
　平成１０年特許願第２５８１７９号「画像情報収集機能を有する携帯無線電話装置およびその制御方法」拒絶査定不服審判事件〔平成１２年　３月３１日出願公開、特開２０００−　９２５６９〕について、次のとおり審決する。
【結　論】
　本件審判の請求は、成り立たない。
【理　由】
１．手続の経緯・本願発明　
　本願は、平成１０年９月１１日の出願であって、その請求項１に係る発明は、平成１６年１月２７日付で補正された明細書及び図面の記載からみて、その特許請求の範囲の請求項１に記載されたとおりの次のもの（以下、「本願発明」という。）である。
　
「【請求項１】複数の画像情報提供者から提供された即時性のある画像情報を含む各種画像情報を受信する画像情報受信手段と、該画像情報受信手段で受信された画像情報を分類しユーザが携帯する携帯無線電話装置の表示器に表示可能な画像情報に編集加工する情報分類編集手段と、該情報分類編集手段で分類、編集加工された画像情報を蓄積する画像情報蓄積手段と、該画像情報蓄積手段に蓄積された画像情報の更新処理、削除処理、日付管理等を行なう画像情報管理手段と、ユーザが携帯する携帯無線電話装置から送信された画像情報提供要求を受け付ける画像情報提供要求受付手段と、該画像情報提供要求受付手段が受け付けた画像情報提供要求に応答できるか否か判断する制御手段と、該制御手段で画像情報提供要求に応答できると判断された場合は該画像情報をユーザが携帯する携帯無線電話装置側に送信する画像情報送信手段とを具備する情報処理センタに接続することにより該情報処理センタから所望の画像情報を取得して表示器に表示する画像情報収集機能を有する携帯無線電話装置において、　
　予め提供された画像提供メニューと、　
　上記情報処理センタに接続することにより該情報処理センタに対して、上記画像提供メニューから選択されたメニューに対応する即時性のある画像情報を含む所望の画像情報の提供を要求する画像情報提供要求を送信する画像情報提供要求送信手段と、　
　上記画像情報提供要求送信手段により送信された画像情報提供要求に対応して上記情報処理センタから提供される即時性のある画像情報を含む所望の画像情報を受信し、該画像情報を上記表示器に表示する表示制御手段と、　
　を具備し、　
　上記画像情報提供要求送信手段は、　
　上記画像提供メニューを上記表示器に表示するメニュー表示手段と、　
　上記メニュー表示手段により上記表示器に表示されたメニューの中から提供を受ける所望の画像情報を選択する選択手段と、　
　上記選択手段により所望の画像情報を選択された後に、上記情報処理センタに対して発呼することにより上記情報処理センタに接続する発呼制御手段と、　
　上記画像情報選択手段により選択された所望の画像情報に対応する画像情報提供要求を上記情報処理センタに対して送信する送信手段と、　
　を具備することを特徴とする画像情報収集機能を有する携帯無線電話装置。」　
　
２．刊行物　
　これに対して、当審における、平成１５年１１月２７日付で通知した拒絶の理由に引用した刊行物である特開平９−２７９５１号公報（平成９年１月２８日出願公開、以下、「刊行物１」という。）、特開平７−２５０３８１号公報（平成７年９月２６日出願公開、以下、「刊行物２」という。）、菅井勝　外１名　著、「インターネット放送」、ＮＥＣ技報、Ｖｏｌ．５０、Ｎｏ．１、１９９７年、ｐ．４３〜４８（以下、「刊行物３」という。）、特開平１０−２３２１３５号公報（平成１０年９月２日出願公開、以下、「刊行物４」という。）、特開平１０−３２６３７号公報（平成１０年２月３日出願公開、以下、「刊行物５」という。）、特開昭６２−８６９８６号公報（昭和６２年４月２１日出願公開、以下、「刊行物６」という。）には、それぞれ図面とともに以下のことが記載されている。　
　
［刊行物１］　
（Ａ）「【０００２】　
【従来の技術】図１３は、従来の無線映像通信システムの一構成例を表すブロック図である。図１３において、本無線映像通信システムは、ビデオサーバ１２１と、ネットワーク１２２を介してビデオサーバ１２１に接続された映像情報中継部１２３と、複数の無線ＬＡＮ基地局１２４と、複数の無線映像端末１２５とを備えている。・・・　
　・・・　
【０００６】上記のような構成を有する無線映像通信システムにおいて、無線映像端末１２５がビデオサーバ１２１から映像情報の配信を受けるまでの手順を、以下、詳細に説明する。　
【０００７】ビデオサーバ１２１は、常時、内部に有する映像情報のタイトル等を含むメニュー情報を、ネットワーク１２２を介して映像情報中継部１２３に出力する。映像情報中継部１２３は、受信したメニュー情報を各無線ＬＡＮ基地局１２４毎のメニュー情報に分離する。その後、映像情報中継部１２３は、各無線ＬＡＮ基地局１２４へメニュー情報を出力する。各無線ＬＡＮ基地局１２４は、受信したメニュー情報を、自局が管理するゾーン１２６へ出力する。　
【０００８】無線映像端末１２５が、あるゾーン１２６に進入したとき、当該ゾーン１２６内に出力されているメニュー情報を受信することになる。受信したメニュー情報の中にビデオサーバ１２１から供給して欲しい映像情報が存在したとき、無線映像端末１２５は、送信を希望する映像情報を指定する制御信号を無線ＬＡＮ基地局１２４に向けて出力する。無線ＬＡＮ基地局１２４、映像情報中継部１２３およびネットワーク１２２を介して伝送されてきた制御信号から、ビデオサーバ１２１は、無線映像端末１２５からの映像情報の送信希望を認識し、対応する映像情報を検索して出力する。この映像情報は、ネットワーク１２２、映像情報中継部１２３および無線ＬＡＮ基地局１２４を介して、無線映像端末１２５に配信される。」（・・・は引用箇所の省略を意味し、以下、同様とする。）　
　
（Ｂ）「【００１９】　
【課題を解決するための手段および効果】本発明は、移動可能な端末局に対し、種々の映像情報を無線で配信する無線映像通信システムに向けられており、複数種類の映像情報を蓄積しているビデオサーバと、・・・」　
　
（Ｃ）「【００３３】無線映像端末１７は、受信部１７１と、送信部１７２と、制御部１７３とを含む。受信部１７１は、映像無線局１５から送信されてくるメニュー情報パケット３１および映像情報パケット３２を受信する第１受信部１７１Ａと、制御無線局１９から送信されてくる制御無線局制御情報を受信する第２受信部１７１Ｂとを含む。制御部１７３は、メニュー情報パケット３１に含まれる番組メニューや、映像情報パケット３２に含まれる映像情報をディスプレイ（図示せず）に表示させる。また、この無線映像端末１７を携帯するユーザは、もし受信したい映像情報があれば、キーボード等の入力操作器（図示せず）を操作することによって、制御部１７３に対して、映像情報をビデオサーバ１１に対して要求するように指示する。制御部１７３では、この要求等を含む制御情報パケット４１（図４参照）を作成し、送信部１７２から制御無線局１９へ送信する。」　
　
（Ｄ）又、上記（Ａ）に記載された従来の技術における無線映像端末も、映像情報及びメニュー情報を受信する受信部、制御信号を送信する送信部、制御部、ディスプレイ、入力操作器を有し、映像情報及びメニュー情報をディスプレイに表示させるものであることは、上記（Ｃ）の記載からみて当業者には自明の事項である。　
　
　上記（Ａ）〜（Ｄ）及び図面を勘案すると、刊行物１には、　
　
　複数種類の映像情報を蓄積し、ユーザが携帯する無線映像端末から送信されてきた希望する映像情報を指定する制御信号から、映像情報の送信希望を認識し、対応する映像情報を検索し、当該映像情報を上記無線映像端末に配信するビデオサーバに接続することにより、当該ビデオサーバから希望する映像情報を受信してディスプレイに表示する無線映像端末において、　
　上記ビデオサーバに接続することにより当該ビデオサーバに対して、メニュー情報の中から決定された希望する映像情報を指定する制御情報を送信する送信部と、　
　上記制御信号に対応して上記ビデオサーバから配信される映像情報を受信し、当該映像情報を上記ディスプレイに表示する制御部であって、　
　上記メニュー情報を上記ディスプレイに表示する制御部と、　
　上記制御部により上記ディスプレイに表示されたメニュー情報の中から希望する映像情報を決定する入力操作器と、　
　上記入力操作器により決定された希望する映像情報に対応する制御信号を上記ビデオサーバに対して送信する送信部と、　
を具備する無線映像端末（以下、「刊行物１発明」という。）　
　
が記載されていると認められる。　
　
［刊行物２］　
（Ｅ）「【特許請求の範囲】　
【請求項１】パーソナル・ハンディフォン（以下ＰＨＰと略す）からなる移動端末（以下ＰＨＰ端末という）（２３）が、無線基地局（２２）と無線回線を介して接続することによって、該無線基地局（２２）が接続された通信網（２１）との間で相互に通信を行うＰＨＰシステムにおいて、　
　ＰＨＰ端末の位置と目的地とに対応する道案内情報を格納したデータベース（２５）を有するセンタ装置（２４）を前記通信網（２１）に設け、　
　前記ＰＨＰ端末（２３）の位置情報と、該ＰＨＰ端末（２３）から送られた目的地情報とに応じて、該センタ装置（２４）が前記データベース（２５）から読み出した道案内情報を前記無線基地局（２２）を介して該ＰＨＰ端末（２３）に送信することを特徴とする情報提供サービス方式。　
　・・・　
【請求項８】前記目的地情報が、前記ＰＨＰ端末（２３）から前記無線基地局（２２）を介してＰＢ信号または制御信号によって送信されたものであることを特徴とする請求項１に記載の情報提供サービス方式。　
【請求項９】前記目的地情報が、前記センタ装置（２４）から送られた目的地リストから選択されたものであることを特徴とする請求項８に記載の情報提供サービス方式。　
【請求項１０】前記目的地情報が、前記ＰＨＰ端末（２３）においてＩＣカード，フロッピー・ディスクまたはＣＤ−ＲＯＭ駆動装置（６１）によってＩＣカード，フロッピー・ディスクまたはＣＤ−ＲＯＭから読み出して表示装置（５１）において表示された目的地リストから選択した目的地に対応するコードからなることを特徴とする請求項８に記載の情報提供サービス方式。　
　・・・　
【請求項１４】前記道案内情報が、前記センタ装置（２４）から文字または画像によって送信されることを特徴とする請求項１に記載の情報提供サービス方式。」　
　
（Ｆ）「【００７９】・・・道案内情報提供サービスにおける、ＩＣカード，フロッピーディスクまたはＣＤ−ＲＯＭを利用した目的地指定方式を実現する構成を示している。・・・６はＰＨＰ端末である。ＰＨＰ端末６において、５１は文字または画像の表示装置、６１はＩＣカード，フロッピーディスクまたはＣＤ−ＲＯＭの駆動装置である。・・・　
【００８０】・・・ＩＣカード，フロッピーディスクまたはＣＤ−ＲＯＭには、予め目的地のリストが書き込まれているものとする。　
　・・・　
【００８１】・・・　
(4) ＰＨＰ端末６では、駆動装置６１によって、ＩＣカード，フロッピーディスクまたはＣＤ−ＲＯＭを駆動して、書き込まれている目的地のリストを読み取って、表示装置５１上に表示する。発信者は、この表示によって希望する目的地を選択する。　
【００８２】(5) ＰＨＰ端末６は、ＰＢ信号または制御信号によって、選択された目的地に対応するコードを、基地局２を経由してセンタ装置１０に送信する。　
(6) センタ装置１０は、基地局２を経由して受信した目的地のコードと登録した発信者の位置情報とをキーとして、データベース１１−１を検索して、対応するデータ、すなわちＰＨＰ端末６の位置から目的地までの道案内情報を、文字または画像情報として、ＰＨＰ端末６に送信する。　
【００８３】(7) ＰＨＰ端末６では、送られた文字または画像情報を、表示装置５１上に表示する。これによって、発信者は、自局の位置から目的地までの、最適な道案内情報を受け取ることができる。」　
　
［刊行物３］　
（Ｇ）「（１）ライブ放送サービス　
　・・・ライブ放送の場合，イベントの音声，映像をリアルタイムにインターネットへ流すために，専用パソコンを現地に持ち込み，会場とは臨時設置された専用回線またはアクセスポイントと結んで，インターネット接続経路を確保します。現地からの音声，映像は，プロバイダに設置された中継サーバへディジタル化されたパケットとして送り込まれます。　
（２）蓄積サービス　
　・・・あらかじめ録画，録音された映像・音声を好きな時に呼び出して再生するサービスです。記録は，ライブ中継と同時にそのまま蓄積用ファイルを作成するか，テープ編集したダイジェストをあらためて記録し直すなどの場合があります。・・・」（４３頁右欄１３行〜２７行）　
　
（Ｈ）「（１）エンコーダ　
　エンコーダは，アナログ音声や映像をリアルタイムにディジタル化し，インターネットへ送信するシステムです。・・・」（４４頁左欄４行〜６行）
　
（Ｉ）「３．１　ＣＯＤＥＣ　
　動画や音声をネットワークに流すためには，ディジタルデータで表現しなければなりません。ＣＯＤＥＣ（ＣＯｄｅｒ／ＤＥＣｏｄｅｒ）はそのような処理のための技術ですが，インターネットで多数のユーザに対応するためには，低ビットレートであることが必須です。」（４６頁左欄２３行〜２８行）　
　
［刊行物４］　
（Ｊ）「【００１５】また本例の端末装置１０は、第１のビデオカメラ部１８と第２のビデオカメラ部１９の２つの撮影部を備える。・・・」　
　
（Ｋ）「【００２１】・・・中央装置３０は、所定の電話回線１（無線電話回線など）を介してｎ台（ｎは任意の数）の端末装置１０ａ，１０ｂ，１０ｃ・・・・１０ｎと双方向の通信を行うようにしてあり、構成としては、データ管理部３１と、そのデータ管理部３１の制御で各種データの記憶を行うデータ記憶部３２とを備える。データ記憶部３１は、データの書き換えが自在な大容量の記憶手段が使用され、例えば道路上の主要交差点に対応した各座標位置毎に、その位置の画像データや付属するデータなどを記憶する。この記憶データは、後述するように各端末装置との通信で逐次更新されるものである。　
【００２２】中央装置１０の通信を行う構成としては、電話回線１を経由していずれかの端末装置から送信されるデータを受信処理するデータ受信部３３と、このデータ受信部３３で受信したデータの判断処理を行って判断した受信データをデータ管理部３１に供給する受信データ判断部３４と、データ管理部３１から送信するデータが供給されて送信用のデータを作成する送信データ作成部３５と、送信データ作成部３５で作成されたデータを電話回線１に送出するデータ送信部３６とを備える。」　
　
（Ｌ）「【００２５】中央装置３０では、このようにして各端末装置１０から送信されて集められたデータを、データ記憶部３２に蓄積させる。・・・ここではレストランがある位置の画像データを蓄積させた例を示し、最初の例では、「××屋」という名前のレストランが存在する座標位置（ｘ１，ｙ１，ｚ１）での各方向の画像（ここでは北向きの画像，東向きの画像，南向きの画像，西向きの画像の４方向の画像）のデータを、撮影した時刻毎に分類（例えば６時間毎に分類）して記憶させておく。例えば、時刻〔０：００〜６：００〕の間に撮影した画像、時刻〔６：００〜１２：００〕の間に撮影した画像、・・・・のように分類しておく。そして、この座標位置で示される画像が該当するレストランの名称「××屋」とその電話番号を付属情報として記憶させておく。」　
　
（Ｍ）「【００２８】これらの画像データの中央装置３０での蓄積は、各端末装置１０側から自発的にデータを送信させるようにしても良いが、例えば中央装置３０内のデータ管理部３１がデータの記憶状態を判断して、必要な座標位置の画像データを、その近傍の位置を走行中の自動車内の端末装置１０に対して要求するようにしても良い。」　
　
（Ｎ）「【００３４】このルート上の主要交差点の座標及び方向の算出ができると、その算出された各座標位置の画像データ送信を要求するデータを、電話回線を経由して中央装置３０に伝送する（ステップ１１３）。　
【００３５】この要求が中央装置３０にあると、中央装置３０側ではデータ記憶部３２に該当する座標位置の該当する方向のデータがあるか否か判断し、その画像データが記憶されている場合には、その画像データを端末装置１０に対して接続された電話回線で返送する。・・・また、該当する位置の画像データが記憶されてない場合には、画像データ無しを示すデータを端末装置１０に対して返送する。」　
　
［刊行物５］　
（Ｏ）「【００５８】そして、図４に示すヘッダ情報が接続装置２から移動通信端末３に送信されて表示され、このヘッダ情報に対応する蓄積された情報の表示を希望するときには、コマンド１を選択する。これにより、蓄積された情報が、ＦＡＸ情報であるときには、図５Ａに示すように、最初のページ全体のＦＡＸ情報が、移動通信端末３のＬＣＤ３７の表示領域の大きさに応じて拡大、縮小された情報が接続装置２において生成される。そして、生成された情報は、移動通信端末３に送信されて表示される。」　
　
［刊行物６］　
（Ｐ）「上記キャプテンシステムにおいては、情報センターに他種類の情報が用意されているので、必要な時に必要な情報を画面を探して呼出すのは非常に手間が掛かる。そこで、よく使用する情報をコンピュータのメモリにファイルしておいて、見たい時に直ぐ見られるようにすることが考えられている。」（公報１頁右下欄９行〜１５行）　
　
（Ｑ）「・・・情報センターおける所望の画像情報をアクセスして予め画面メモリに予め記憶しておき、その後、定期的に情報センターをアクセスして画面情報が更新されているか否かをチェックし、更新されている場合にそれに応じて上記画面メモリの内容を更新する・・・」（公報４頁左下欄７行〜１３行）　
　
３．対比　
　本願発明と刊行物１発明を対比する。　
　
（ア）刊行物１発明の「映像情報」と本願発明の「画像情報」は少なくとも各種の画像の情報であるという点で対応する。　
　
（イ）刊行物１発明の「希望する映像情報を指定する制御信号」は本願発明の「所望の画像情報の提供を要求する画像情報提供要求」に対応する。　
　
（ウ）又、刊行物１発明の「無線映像端末」と本願発明の「携帯無線電話装置」はともに、ユーザが携帯可能な携帯型の装置であって、無線により通信を行って画像情報を収集する携帯型無線画像情報収集装置である点で対応する。　
　
（エ）刊行物１発明のビデオサーバが「複数種類の映像情報を蓄積し」、「送信されてきた希望する映像情報を指定する制御信号から、映像情報の送信希望を認識し、対応する映像情報を検索し、当該映像情報を上記無線映像端末に配信する」ことは、本願発明の情報処理センタが「画像情報を蓄積する」、「送信された画像情報提供要求を受け付ける」、「受け付けた画像情報提供要求に応答できるか否か判断する」、「画像情報提供要求に応答できると判断された場合は該画像情報をユーザが携帯する携帯無線電話装置側に送信する」ことに対応し、その点で刊行物１発明の「ビデオサーバ」は本願発明の「情報処理センタ」に対応する。　
　
（オ）刊行物１発明の「メニュー情報」と本願発明の「画像提供メニュー」は、所望の画像情報を選択するためのメニューの情報である点では対応する。　
　
（カ）刊行物１発明の「ユーザ」、「ディスプレイ」、「制御部」、「入力操作器」、「送信部」は、それぞれ本願請求項１に係る発明の「ユーザ」、「表示器」、「表示制御手段、及び、メニュー表示手段」、「選択手段」、「送信手段」に対応する。　
　
　したがって、本願発明と刊行物１発明は、　
　
　各種画像情報を蓄積する画像情報蓄積手段と、ユーザが携帯する携帯型無線画像情報収集装置から送信された画像情報提供要求を受け付ける画像情報提供要求受付手段と、該画像情報提供要求受付手段が受け付けた画像情報提供要求に応答できるか否か判断する制御手段と、該制御手段で画像情報提供要求に応答できると判断された場合は該画像情報をユーザが携帯する携帯型無線画像情報収集装置側に送信する画像情報送信手段とを具備する情報処理センタに接続することにより該情報処理センタから所望の画像情報を取得して表示器に表示する携帯型無線画像情報収集装置において、　
　上記情報処理センタに接続することにより該情報処理センタに対して、画像提供メニューから選択されたメニューに対応する所望の画像情報の提供を要求する画像情報提供要求を送信する画像情報提供要求送信手段と、　
　上記画像情報提供要求送信手段により送信された画像情報提供要求に対応して上記情報処理センタから提供される所望の画像情報を受信し、該画像情報を上記表示器に表示する表示制御手段と、　
　上記画像提供メニューを上記表示器に表示するメニュー表示手段と、　
　上記メニュー表示手段により上記表示器に表示されたメニューの中から提供を受ける所望の画像情報を選択する選択手段と、　
　上記画像情報選択手段により選択された所望の画像情報に対応する画像情報提供要求を上記情報処理センタに対して送信する送信手段と、　
　を具備する携帯型無線画像情報収集装置　
　
である点で一致し、次の点で相違する。　
　
［相違点１］　
　ユーザが携帯する携帯型無線画像情報収集装置が、　
　本願発明では、携帯無線電話装置であるのに対して、　
　刊行物１発明では、無線映像端末である点。　
　
［相違点２］　
　画像情報が、　
　本願発明では、即時性のある画像情報を含む各種画像情報であるのに対して、　
　刊行物１発明では、各種画像情報であって、　
　情報処理センタが、　
　本願発明では、複数の画像情報提供者から提供された各種画像情報を受信する画像情報受信手段と、該画像情報受信手段で受信された画像情報を分類しユーザが携帯する携帯型無線画像情報収集装置の表示器に表示可能な画像情報に編集加工する情報分類編集手段と、該画像情報蓄積手段に蓄積された画像情報の更新処理、削除処理、日付管理等を行なう画像情報管理手段と、を有しているのに対して、　
　刊行物１発明では、そのような手段を有していない点。　
　
［相違点３］　
　本願発明では、予め提供された画像提供メニューを具備すると共に、選択手段により所望の画像情報を選択された後に、情報処理センタに対して発呼することにより情報処理センタに接続する発呼制御手段を具備し、又、上記発呼手段、メニュー表示手段、選択手段、送信手段が上記画像情報提供要求送信手段に備えられるものであるに対して、　
　刊行物１発明では、画像提供メニューが予め提供されて具備されるものではなく、発呼制御手段を有しているか否か明らかでなく、又、上記メニュー表示手段、選択手段、送信手段が、上記携帯型無線画像情報収集装置に備えられるものではあるが、該装置の画像情報提供要求送信手段に備えられるものではない点。　
　
４．相違点についての判断　
　上記相違点について検討する。　
　
［相違点１について］　
　例えば刊行物２に記載されているように、携帯無線電話装置であるところのパーソナル・ハンディフォンで画像を受信し表示することは、本願出願前周知の技術である。　
　
　してみれば、上記周知の技術を参酌して、刊行物１発明の画像情報を受信し表示する携帯型無線画像情報収集装置であるところの無線映像端末を、携帯無線電話装置とすることは当業者が容易になし得るものである。　
　
［相違点２について］　
　例えば刊行物３に記載されているように、即時性のある画像情報に対応するライブ放送の映像を処理対象として、画像情報提供者であるエンコーダから提供された当該画像情報に対して、表示器に表示可能な画像情報に編集加工することに対応するエンコードを行って蓄積し、ユーザから要求された場合に当該画像情報を送信すること、　
　あるいは、例えば刊行物４に記載されているように、即時性のある画像情報に対応する移動しながら撮影された画像データを処理対象として、複数の画像情報提供者から提供された画像情報を受信し、受信された画像情報を分類して蓄積し、日付管理等の管理を行い、ユーザから要求された画像情報があるか判断し、ある場合にはユーザに返送すること、　
　あるいは、例えば刊行物５に記載されているように、表示器に表示可能な画像情報に編集加工することに対応する拡大・縮小処理を送信側で行うことは、いずれも本願出願前周知の技術である。　
　
　してみれば、上記周知の技術を参酌して、刊行物１発明の各種画像情報を即時性のある画像情報を含む各種画像情報とし、情報処理センタが、複数の画像情報提供者から提供された各種画像情報を受信する画像情報受信手段と、該画像情報受信手段で受信された画像情報を分類しユーザが携帯する携帯型無線画像情報収集装置の表示器に表示可能な画像情報に編集加工する情報分類編集手段と、該画像情報蓄積手段に蓄積された画像情報の更新処理、削除処理、日付管理等を行なう画像情報管理手段とを有するようにすることは、当業者が容易になし得ることである。　
　
［相違点３について］　
　刊行物１発明では、発呼制御手段を有しているか否か明記されていないが、無線端末において発呼制御手段を設けることは本願出願前周知の技術にすぎない。　
　
　又、例えば刊行物２に記載されているように、画像提供メニューに対応するところの目的地情報をＩＣカードなどの形態で予め提供されたものとして具備しておくこと、　
　あるいは、例えば刊行物６に記載されているように、所望の画像情報の検索、呼び出しの手間を考慮して、所望の画像情報を予め提供されたものとして具備しておくことは本願出願前周知の技術である。　
　
　又、上記発呼制御手段、メニュー表示手段、選択手段、送信手段をまとめて１つの画像情報提供要求送信手段として構成するか、それぞれ個別の手段として構成するかは、当業者が設計時に適宜選択し得る設計的事項にすぎないものである。　
　
　してみれば、刊行物１発明において、上記周知の技術及び設計的事項を参酌して、予め提供された画像提供メニューを具備すると共に、選択手段により所望の画像情報を選択された後に、情報処理センタに対して発呼することにより情報処理センタに接続する発呼制御手段を具備し、又、上記発呼手段、メニュー表示手段、選択手段、送信手段が上記画像情報提供要求送信手段に備えられるものとすることは当業者が容易になし得るものである。　
　
５．むすび　
　以上のとおり、本願発明は、刊行物１〜６に記載された発明、周知の技術、及び設計的事項に基いて、当業者が容易に発明をすることができたものであるので、特許法第２９条第２項の規定により特許を受けることができない。　
　
　よって、結論のとおり審決する。